(57)【要約】【課題】  小型軽量化を達成しながら、諸収差を良好に補正した大口径望遠レンズとして使用可能な結像光学系を提供する。【解決手段】  物体側から像側へ順に、正の屈折力の第１レンズ群Ｇ１、負の屈折力の第２レンズ群Ｇ２、正の屈折力の第３レンズ群Ｇ３からなる結像光学系において、前記第１レンズ群Ｇ１は、第１レンズ群Ｇ１内の最も広い空気間隔を境に、物体側から順に第１Ａレンズ群Ｇ１Ａと第１Ｂレンズ群Ｇ１Ｂからなり、前記第２レンズ群Ｇ２を光軸に沿って移動させることによりフォーカシングを行い、前記第３レンズ群Ｇ３の少なくとも一部を光軸に対して垂直方向成分を含んで移動させることにより防振を行い、所定の条件式を満足する。【選択図】図１
2020160100.tif 000002
【特許請求の範囲】
【請求項１】
物体側から像側へ順に、正の屈折力の第１レンズ群Ｇ１、負の屈折力の第２レンズ群Ｇ２、正の屈折力の第３レンズ群Ｇ３からなる結像光学系において、前記第１レンズ群Ｇ１は、第１レンズ群Ｇ１内の最も広い空気間隔を境に、物体側から順に第１Ａレンズ群Ｇ１Ａと第１Ｂレンズ群Ｇ１Ｂからなり、前記第２レンズ群Ｇ２を光軸に沿って移動させることによりフォーカシングを行い、前記第３レンズ群Ｇ３の少なくとも一部を光軸に対して垂直方向成分を含んで移動させることにより防振を行い、以下に示す条件式を満足することを特徴とする結像光学系。
（１）ｆ１／ｆ＞０．６１
（２）−０．６６＜ｆ２／ｆ＜−０．４
（３）β２＜４．２
但し、
ｆ：無限遠合焦時の前記結像光学系全系の焦点距離
ｆ１：第１レンズ群Ｇ１の焦点距離
ｆ２：第２レンズ群Ｇ２の焦点距離
β２：無限遠合焦時の第２レンズ群Ｇ２の横倍率
【請求項２】
以下に示す条件式を満足することを特徴とする請求項１に記載の結像光学系。
（４）νｄｐ１ｆ＞６０
（５）θｇＦｐ１ｆ−０．６４８３＋０．００１８×νｄｐ１ｆ＞０．００１
但し、
νｄｐ１ｆ：前記結像光学系のうち最も物体側に位置する正レンズの、ｄ線に関するアッベ数
θｇＦｐ１ｆ：前記結像光学系のうち最も物体側に位置する正レンズの、ｇ線とＦ線に関する部分分散比
【請求項３】
前記第２レンズ群Ｇ２が少なくとも１枚の正レンズと、複数の負レンズとを有し、以下に示す条件式を満足することを特徴とする請求項１又は２に記載の結像光学系。
（６）θｇＦｐ２−０．６４８３＋０．００１８×νｄｐ２＞０．０１
（７）θｇＦｎ２−０．６４８３＋０．００１８×νｄｎ２＜−０．００１
但し、
νｄｐ２：前記第２レンズ群Ｇ２が有する正レンズうち、少なくとも１枚のｄ線に関するアッベ数
θｇＦｐ２：前記第２レンズ群Ｇ２が有する正レンズうち、少なくとも１枚のｇ線とＦ線に関する部分分散比
νｄｎ２：前記第２レンズ群Ｇ２が有する負レンズのうち、少なくとも１枚のｄ線に関するアッベ数
θｇＦｎ２：前記第２レンズ群Ｇ２が有する負レンズのうち、少なくとも１枚のｇ線とＦ線に関する部分分散比
【請求項４】
以下に示す条件式を満足することを特徴とする請求項１乃至３のいずれかに記載の結像光学系。
（８）０．０２＜Ｌ１Ａ１Ｂ／Ｌ＜０．２
但し、
Ｌ：前記結像光学系のうち、最も物体側のレンズ面から像面までの距離
Ｌ１Ａ１Ｂ：前記第１レンズ群Ｇ１における最大空気間隔
【請求項５】
前記第１Ａレンズ群Ｇ１Ａは、２枚の正レンズを有し、以下に示す条件式を満足することを特徴とする請求項１乃至４のいずれかに記載の結像光学系。
（９）νｄｐ１Ａ＞６０
（１０）θｇＦｐ１Ａ−０．６４８３＋０．００１８×νｄｐ１Ａ＞０．００１
但し、
νｄｐ１Ａ：第１Ａレンズ群Ｇ１Ａが有する正レンズのうち、ｄ線に関するアッベ数が最も小さい正レンズのｄ線に関するアッベ数
θｇＦｐ１Ａ：第１Ａレンズ群Ｇ１Ａが有する正レンズのうち、ｄ線に関するアッベ数が最も小さい正レンズのｇ線とＦ線に関する部分分散比
【請求項６】
前記第３レンズ群Ｇ３は、物体側から順に正の屈折力を有する第３Ａレンズ群Ｇ３Ａと、負の屈折力を有する第３Ｂレンズ群Ｇ３Ｂと、正の屈折力を有する第３Ｃレンズ群Ｇ３Ｃからなり、前記第３Ｂレンズ群Ｇ３Ｂを光軸に対して垂直方向成分を含んで移動させることにより防振を行うことを特徴とする請求項１乃至５のいずれかに記載の結像光学系。
【請求項７】
前記第３Ａレンズ群Ｇ３Ａは、少なくとも１枚の正レンズと、少なくとも１枚の負レンズを有し、以下に示す条件式を満足することを特徴とする請求項６に記載の結像光学系。
（１１）νｄｐ３＞６０
（１２）θｇＦｐ３−０．６４８３＋０．００１８×νｄｐ３＞０．００５
νｄｐ３：前記第３レンズ群Ｇ３が有する少なくとも１枚の正レンズの、ｄ線に関するアッベ数
θｇＦｐ３：前記第３レンズ群Ｇ３が有する少なくとも１枚の正レンズの、ｇ線とＦ線に関する部分分散比
【発明の詳細な説明】
【技術分野】
【０００１】
本発明はデジタルカメラ、ビデオカメラなどに用いられる撮影レンズに好適な結像光学系に関するものである。
【背景技術】
【０００２】
長焦点距離を有する結像光学系として、物体側から像側へ順に、正の屈折力の第１レンズ群Ｇ１、負の屈折力の第２レンズ群Ｇ２、正の屈折力を持つ第３レンズ群Ｇ３を配置した、結像光学系が知られている。
【先行技術文献】
【特許文献】
【０００３】
【特許文献１】特許第４８９８４０８号公報
【特許文献２】特許第６１８６８２９号公報
【発明の概要】
【発明が解決しようとする課題】
【０００４】
近年、デジタルカメラなどに使用される撮像素子の高画素化に伴い、大口径比を持ちながら、諸収差が十分に補正され、画面全域で高い光学性能を有する結像光学系が求められている。長焦点距離を有する結像光学系においては、軸上色収差に起因する光学性能低下が課題となるため、蛍石に代表される、正の異常部分分散性が大きく、低屈折率低分散の光学材料を正レンズ材料として用いることが一般的である。
【０００５】
大口径比を持つ結像光学系を実現するためには、正の屈折力を大きくする必要があるが、低屈折率の光学材料を使用したレンズの屈折力を大きくすると、曲率が大きくなり、諸収差の悪化を招く。特許文献１、特許文献２記載の結像光学系は、大口径比化と小型軽量化を達成しながら、色収差は補正されているが、球面収差などの諸収差の発生が大きく、光学性能が十分とは言えない。
【０００６】
本発明はこのような状況に鑑みてなされたものであり、小型軽量化を達成しながら、諸収差を良好に補正した大口径望遠レンズとして使用可能な結像光学系を提供することを目的とする。
【課題を解決するための手段】
【０００７】
上記課題を解決するために、本発明の結像光学系は、物体側から像側へ順に、正の屈折力の第１レンズ群Ｇ１、負の屈折力の第２レンズ群Ｇ２、正の屈折力の第３レンズ群Ｇ３からなる結像光学系において、前記第１レンズ群Ｇ１は、第１レンズ群Ｇ１内の最も広い空気間隔を境に、物体側から順に第１Ａレンズ群Ｇ１Ａと第１Ｂレンズ群Ｇ１Ｂからなり、前記第２レンズ群Ｇ２を光軸に沿って移動させることによりフォーカシングを行い、前記第３レンズ群Ｇ３の少なくとも一部を光軸に対して垂直方向成分を含んで移動させることにより防振を行い、以下に示す条件式を満足することとした。
（１）ｆ１／ｆ＞０．６１
（２）−０．６６＜ｆ２／ｆ＜−０．４
（３）β２＜４．２
但し、
ｆ：無限遠合焦時の前記結像光学系全系の焦点距離
ｆ１：第１レンズ群Ｇ１の焦点距離
ｆ２：第２レンズ群Ｇ２の焦点距離
β２：無限遠合焦時の第２レンズ群Ｇ２の横倍率
【０００８】
また、第２の発明はさらに、以下に示す条件式を満足することとした。
（４）νｄｐ１ｆ＞６０
（５）θｇＦｐ１ｆ−０．６４８３＋０．００１８×νｄｐ１ｆ＞０．００１
但し、
νｄｐ１ｆ：前記結像光学系のうち最も物体側に位置する正レンズの、ｄ線に関するアッベ数
θｇＦｐ１ｆ：前記結像光学系のうち最も物体側に位置する正レンズの、ｇ線とＦ線に関する部分分散比
【０００９】
また、第３の発明はさらに、前記第２レンズ群Ｇ２が少なくとも１枚の正レンズと、複数の負レンズとを有し、以下に示す条件式を満足することとした。
（６）θｇＦｐ２−０．６４８３＋０．００１８×νｄｐ２＞０．０１
（７）θｇＦｎ２−０．６４８３＋０．００１８×νｄｎ２＜−０．００１
但し、
νｄｐ２：前記第２レンズ群Ｇ２が有する正レンズうち、少なくとも１枚のｄ線に関するアッベ数
θｇＦｐ２：前記第２レンズ群Ｇ２が有する正レンズうち、少なくとも１枚のｇ線とＦ線に関する部分分散比
νｄｎ２：前記第２レンズ群Ｇ２が有する負レンズのうち、少なくとも１枚のｄ線に関するアッベ数
θｇＦｎ２：前記第２レンズ群Ｇ２が有する負レンズのうち、少なくとも１枚のｇ線とＦ線に関する部分分散比
【００１０】
また、第４の発明はさらに、以下に示す条件式を満足することとした。
（８）０．０２＜Ｌ１Ａ１Ｂ／Ｌ＜０．２
但し、
Ｌ：前記結像光学系のうち、最も物体側のレンズ面から像面までの距離
Ｌ１Ａ１Ｂ：前記第１レンズ群Ｇ１における最大空気間隔
【００１１】
また、第５の発明はさらに、前記第１Ａレンズ群Ｇ１Ａは、２枚の正レンズを有し、以下に示す条件式を満足することとした。
（９）νｄｐ１Ａ＞６０
（１０）θｇＦｐ１Ａ−０．６４８３＋０．００１８×νｄｐ１Ａ＞０．００１
但し、
νｄｐ１Ａ：第１Ａレンズ群Ｇ１Ａが有する正レンズのうち、ｄ線に関するアッベ数が最も小さい正レンズのｄ線に関するアッベ数
θｇＦｐ１Ａ：第１Ａレンズ群Ｇ１Ａが有する正レンズのうち、ｄ線に関するアッベ数が最も小さい正レンズのｇ線とＦ線に関する部分分散比
【００１２】
また、第６の発明はさらに、前記第３レンズ群Ｇ３は、物体側から順に正の屈折力を有する第３Ａレンズ群Ｇ３Ａと、負の屈折力を有する第３Ｂレンズ群Ｇ３Ｂと、正の屈折力を有する第３Ｃレンズ群Ｇ３Ｃからなり、前記第３Ｂレンズ群Ｇ３Ｂを光軸に対して垂直方向成分を含んで移動させることにより防振を行うこととした。
【００１３】
また、第７の発明はさらに、前記第３Ａレンズ群Ｇ３Ａは、少なくとも１枚の正レンズと、少なくとも１枚の負レンズを有し、以下に示す条件式を満足することとした。
（１１）νｄｐ３＞６０
（１２）θｇＦｐ３−０．６４８３＋０．００１８×νｄｐ３＞０．００５
νｄｐ３：前記第３レンズ群Ｇ３が有する少なくとも１枚の正レンズの、ｄ線に関するアッベ数
θｇＦｐ３：前記第３レンズ群Ｇ３が有する少なくとも１枚の正レンズの、ｇ線とＦ線に関する部分分散比
【発明の効果】
【００１４】
本発明によれば、小型軽量化を達成しながら、諸収差を良好に補正した大口径望遠レンズとして使用可能な結像光学系を提供することが可能となる。
【図面の簡単な説明】
【００１５】
【図１】本発明の実施例１の無限遠におけるレンズ構成図である。
【図２】本発明の実施例１の無限遠における縦収差図である。
【図３】本発明の実施例１の撮影距離１９００ｍｍにおける縦収差図である。
【図４】本発明の実施例１の無限遠における横収差図である。
【図５】本発明の実施例１の撮影距離１９００ｍｍにおける横収差図である。
【図６】本発明の実施例１の無限遠における０．３１°防振時の横収差図である。
【図７】本発明の実施例２の無限遠におけるレンズ構成図である。
【図８】本発明の実施例２の無限遠における縦収差図である。
【図９】本発明の実施例２の撮影距離１８００ｍｍにおける縦収差図である。
【図１０】本発明の実施例２の無限遠における横収差図である。
【図１１】本発明の実施例２の撮影距離１８００ｍｍにおける横収差図である。
【図１２】本発明の実施例２の無限遠における０．３４°防振時の横収差図である。
【図１３】本発明の実施例３の無限遠におけるレンズ構成図である。
【図１４】本発明の実施例３の無限遠における縦収差図である。
【図１５】本発明の実施例３の撮影距離１９００ｍｍにおける縦収差図である。
【図１６】本発明の実施例３の無限遠における横収差図である。
【図１７】本発明の実施例３の撮影距離１９００ｍｍにおける横収差図である。
【図１８】本発明の実施例３の無限遠における０．２７°防振時の横収差図である。
【図１９】本発明の実施例４の無限遠におけるレンズ構成図である。
【図２０】本発明の実施例４の無限遠における縦収差図である。
【図２１】本発明の実施例４の撮影距離２０００ｍｍにおける縦収差図である。
【図２２】本発明の実施例４の無限遠における横収差図である。
【図２３】本発明の実施例４の撮影距離２０００ｍｍにおける横収差図である。
【図２４】本発明の実施例４の無限遠における０．２５°防振時の横収差図である。
【図２５】本発明の実施例５の無限遠におけるレンズ構成図である。
【図２６】本発明の実施例５の無限遠における縦収差図である。
【図２７】本発明の実施例５の撮影距離１９００ｍｍにおける縦収差図である。
【図２８】本発明の実施例５の無限遠における横収差図である。
【図２９】本発明の実施例５の撮影距離１９００ｍｍにおける横収差図である。
【図３０】本発明の実施例５の無限遠における０．３１°防振時の横収差図である。
【発明を実施するための形態】
【００１６】
以下、本発明の実施形態について説明する。尚、ｇ線（波長４３５．８ｎｍ）、Ｆ線（波長４８６．１ｎｍ）、ｄ線（波長５８７．６ｎｍ）、及びＣ線（波長６５６．３ｎｍ）に対する屈折率を、それぞれｎｇ、ｎＦ、ｎｄ、ｎＣとした時、アッベ数νｄ、及び部分分散比θｇＦは以下の式で表される。
νｄ＝（ｎｄ−１）／（ｎＦ−ｎＣ）
θｇＦ＝（ｎｇ−ｎＦ）／（ｎＦ−ｎＣ）
【００１７】
本発明の結像光学系は、図１、７、１３、１９、２５に示すレンズ構成図からわかるように、物体側から像側へ順に、正の屈折力の第１レンズ群Ｇ１、負の屈折力の第２レンズ群Ｇ２、正の屈折力の第３レンズ群Ｇ３からなり、前記第２レンズ群Ｇ２を光軸に沿って移動させることによりフォーカシングを行い、前記第３レンズ群Ｇ３の少なくとも一部を光軸に対して垂直方向成分を含んで移動させることにより防振を行い、以下に示す条件式を満足することを特徴とする。
（１）ｆ１／ｆ＞０．６１
（２）−０．６６＜ｆ２／ｆ＜−０．４
（３）β２＜４．２
但し、
ｆ：無限遠合焦時の前記結像光学系全系の焦点距離
ｆ１：第１レンズ群Ｇ１の焦点距離
ｆ２：第２レンズ群Ｇ２の焦点距離
β２：無限遠合焦時の第２レンズ群Ｇ２の横倍率
【００１８】
前記結像光学系において、レンズ径と重量の大きい前記第１レンズ群Ｇ１をフォーカシングに際し固定し、第１レンズ群Ｇ１で収斂された光束が入射するため、第１レンズ群Ｇ１に対して径と重量が小さい第２レンズ群Ｇ２を光軸に沿って移動させることで、フォーカシングの高速化が可能となる。また、防振レンズ群を有する第３レンズ群Ｇ３には、第１レンズ群Ｇ１および第２レンズ群Ｇ２を通過して収斂された光束が入射するため、防振レンズ群の径と重量を抑えることが可能となる。
【００１９】
一般に望遠レンズの小型化は光学系をテレフォトタイプにする、すなわち物体側から順に正の屈折力の第１レンズ群、負の屈折力の第２レンズ群で構成し、第１レンズ群の像を第２レンズ群で増倍させることにより全系の焦点距離に対し光学系全長の短縮を可能にした。この作用は各々の群の屈折力を大きくするほど全長短縮効果があがるが、副作用として各群の残存収差が増大し、大口径化、製造誤差敏感度の低減が困難になる。
【００２０】
本願発明はこの課題に際し、通常の短縮化とは異なる手法を用いている。第１レンズ群Ｇ１の屈折力を小さくすることにより第１レンズ群Ｇ１での残存収差を抑制し、第２レンズ群Ｇ２の屈折力および横倍率を小さくすることにより第２レンズ群Ｇ２での残存収差を抑制しながら第１レンズ群Ｇ１での残存収差の拡大を抑えることで、大口径比を持ちながら、無限遠物体から近距離物体までの広範囲の物体距離において高い光学性能を達成することが可能となる。また、各群の屈折力を小さくすることで、各群の軸上厚を小さくすることができ、各群の屈折力を大きくすることなく、全長の短縮化が可能となる。さらに、各群を構成する各光学素子の重量が軽減されるため、光学径全体の軽量化が可能となる。その第１レンズ群Ｇ１および第２レンズ群Ｇ２の屈折力、第２レンズ群の横倍率について規定したのが上記の条件式（１）、（２）、（３）である。
【００２１】
条件式（１）の下限値を超えて第１レンズ群Ｇ１の正の屈折力が強くなり過ぎると、第１レンズ群Ｇ１で発生する球面収差や非点収差の残存量が大きくなり、その補正が困難になるため、大口径化出来ない。また、各光学素子の小径化には有利になるが、各光学素子の曲率が大きくなるため、軸上厚が厚くなり、小型軽量化の作用が効果的でなくなる。
【００２２】
尚、条件式（１）について、望ましくはその下限値を０．６３に限定することで、前述の効果をより確実にすることができる。
【００２３】
条件式（２）の上限値を超えて第２レンズ群Ｇ２の負の屈折力が強くなり過ぎると、フォーカシングにおける第２レンズ群Ｇ２の移動量を抑えるには有利になるが、第２レンズ群Ｇ２で発生する球面収差や非点収差の量が大きくなり、フォーカシングに伴う収差変動が大きくなる。一方、条件式（２）の下限値を超えて第２レンズ群Ｇ２の負の屈折力が弱くなり過ぎると、フォーカシング時の第２レンズ群Ｇ２の移動量が大きくなり、光学系全系の小型化が困難になる。
【００２４】
尚、条件式（２）について、望ましくはその下限値を−０．６０に、また上限値を−０．４１５に限定することで、前述の効果をより確実にすることができる。
【００２５】
条件式（３）の上限値を超えて第２レンズ群Ｇ２の横倍率が大きくなると、第１レンズ群Ｇ１での残存収差の拡大量が増え、その補正が困難になる。
【００２６】
尚、条件式（３）について、望ましくはその上限値を４．０に限定することで、前述の効果をより確実にすることができる。
【００２７】
さらに、本発明の結像光学系では、以下に示す条件式を満足することが望ましい。
（４）νｄｐ１ｆ＞６０
（５）θｇＦｐ１ｆ−０．６４８３＋０．００１８×νｄｐ１ｆ＞０．００１
但し、
νｄｐ１ｆ：前記結像光学系のうち最も物体側に位置する正レンズの、ｄ線に関するアッベ数
θｇＦｐ１ｆ：前記結像光学系のうち最も物体側に位置する正レンズの、ｇ線とＦ線に関する部分分散比
【００２８】
条件式（４）および条件式（５）は、前記結像光学系のうち最も物体側に位置する正レンズの材料について、軸上色収差、倍率色収差を良好に補正するために好ましい光学特性を規定するものである。正の異常部分分散性を持つ低分散の光学材料を、最も物体側に位置する正レンズの材料として用いることで、当該正レンズでの２次スペクトルを含めた色収差発生を抑え、光学系全体での２次スペクトルを含めた色収差を抑制している。
【００２９】
条件式（４）の下限値を超えて前記結像光学系のうち最も物体側に位置する正レンズのアッベ数が小さくなると、当該正レンズで発生する色収差が大きくなり、軸上色収差、倍率色収差の補正が困難となる。
【００３０】
尚、条件式（４）について、望ましくはその下限値を６５に限定することで、前述の効果をより確実にすることができる。
【００３１】
条件式（５）の下限値を超えて前記結像光学系のうち最も物体側に位置する正レンズの正の異常部分分散性が小さくなると、当該正レンズで発生する２次スペクトルを含めた色収差が大きくなり、色収差、特に２次スペクトルの補正が困難になる。
【００３２】
尚、条件式（５）について、望ましくはその下限値を０．００５に限定することで、前述の効果をより確実にすることができる。
【００３３】
さらに、本発明の結像光学系では、前記第２レンズ群Ｇ２が少なくとも１枚の正レンズと、複数の負レンズとを有することが望ましい。この構成により、フォーカス時における色収差、球面収差、非点収差等の諸収差の変動を十分に抑制することが可能となる。さらに、以下に示す条件式を満足することが望ましい。
（６）θｇＦｐ２−０．６４８３＋０．００１８×νｄｐ２＞０．０１
（７）θｇＦｎ２−０．６４８３＋０．００１８×νｄｎ２＜−０．００１
但し、
νｄｐ２：前記第２レンズ群Ｇ２が有する正レンズうち、少なくとも１枚のｄ線に関するアッベ数
θｇＦｐ２：前記第２レンズ群Ｇ２が有する正レンズうち、少なくとも１枚のｇ線とＦ線に関する部分分散比
νｄｎ２：前記第２レンズ群Ｇ２が有する負レンズのうち、少なくとも１枚のｄ線に関するアッベ数
θｇＦｎ２：前記第２レンズ群Ｇ２が有する負レンズのうち、少なくとも１枚のｇ線とＦ線に関する部分分散比
【００３４】
条件式（６）、（７）は、第２レンズ群Ｇ２に含まれる正レンズおよび負レンズの材料について２次スペクトルを含めて軸上色収差、倍率色収差を良好に補正するために好ましい光学特性を規定するものである。第２レンズ群Ｇ２が正の異常部分分散性の材料の正レンズと、正レンズよりも異常部分分散性の低い材料の負レンズを有することで、第２レンズ群Ｇ２内で発生する２次スペクトルを含めた色収差を抑制している。
【００３５】
条件式（６）の下限値を超えて正レンズの異常部分分散性が小さくなると、正レンズと負レンズの部分分散比の差を小さくすることが出来ず、色収差、特に２次スペクトルの補正が困難になる。
【００３６】
尚、条件式（６）について、望ましくはその下限値を０．０１５に限定することで、前述の効果をより確実にすることができる。
【００３７】
条件式（７）の上限値を超えて負レンズの異常部分分散性が大きくなると、正レンズと負レンズの部分分散比の差を小さくすることが出来ず、色収差、特に２次スペクトルの補正が困難になる。
【００３８】
尚、条件式（７）について、望ましくはその上限値を−０．００３に限定することで、前述の効果をより確実にすることができる。
【００３９】
さらに、本発明の結像光学系では、以下に示す条件式を満足することが望ましい。
（８）０．０２＜Ｌ１Ａ１Ｂ／Ｌ＜０．２
但し、
Ｌ：前記結像光学系のうち、最も物体側のレンズ面から像面までの距離
Ｌ１Ａ１Ｂ：前記第１レンズ群Ｇ１における最大空気間隔
【００４０】
条件式（８）は第１レンズ群Ｇ１内の空気間隔について、前記結像光学系全体での重量を抑えるため、第１レンズ群Ｇ１内の空気間隔のうち最も広い空気間隔を規定するものである。
【００４１】
条件式（８）の下限値を超えて第１レンズ群Ｇ１内の最も広い空気間隔が小さくなると、第１Ａレンズ群Ｇ１Ａを通過した光束が十分に収斂されない状態で第１Ｂレンズ群Ｇ１Ｂに入射するため、第１Ｂレンズ群Ｇ１Ｂの径が肥大化し、全体での重量が増加する。一方、条件式（８）の上限値を超えて第１レンズ群Ｇ１内の最も広い空気間隔が大きくなると、第１Ａレンズ群Ｇ１Ａを通過した光束が十分に収斂された状態で第１Ｂレンズ群Ｇ１Ｂに入射するため、第１Ｂレンズ群Ｇ１Ｂの径が抑制されるが、十分な周辺光量の確保のためには、第１Ａレンズ群Ｇ１Ａの径を拡大することが必要となり、全体の重量が増加する。
【００４２】
尚、条件式（８）について、望ましくはその下限値を０．０４に、また上限値を０．１に限定することで、前述の効果をより確実にすることができる。
【００４３】
さらに、本発明の結像光学系では、前記第１Ａレンズ群Ｇ１Ａは、２枚の正レンズを有することが望ましい。２枚の正レンズを有することにより、屈折力を大きくしながら、第１Ａレンズ群Ｇ１Ａ内で発生する球面収差をはじめとする諸収差をより良好に補正することが可能となる。第１Ａレンズ群Ｇ１Ａでの屈折力を大きくすることで、第１Ａレンズ群Ｇ１Ａでの光線の収斂効果を高め、第１Ｂレンズ群Ｇ１Ｂに入射する光束の径を小さくすることができ、第１Ｂレンズ群Ｇ１Ｂの小径化および軽量化が可能となる。さらに、以下に示す条件式を満足することが望ましい。
（９）νｄｐ１Ａ＞６０
（１０）θｇＦｐ１Ａ−０．６４８３＋０．００１８×νｄｐ１Ａ＞０．００１
但し、
νｄｐ１Ａ：第１Ａレンズ群Ｇ１Ａが有する正レンズのうち、ｄ線に関するアッベ数が最も小さい正レンズのｄ線に関するアッベ数
θｇＦｐ１Ａ：第１Ａレンズ群Ｇ１Ａが有する正レンズのうち、ｄ線に関するアッベ数が最も小さい正レンズのｇ線とＦ線に関する部分分散比
【００４４】
条件式（９）および条件式（１０）は、第１Ａレンズ群Ｇ１Ａが有する正レンズの材料について、軸上色収差、倍率色収差を良好に補正するために好ましい光学特性を規定するものである。正の異常部分分散性を持つ低分散の光学材料を、第１Ａレンズ群Ｇ１Ａが有する正レンズの材料として用いることで、第１Ａレンズ群Ｇ１Ａでの２次スペクトルを含めた色収差発生を抑え、光学系全体での２次スペクトルを含めた色収差を抑制している。
【００４５】
条件式（９）の下限値を超えて第１Ａレンズ群Ｇ１Ａが有する正レンズのアッベ数が小さくなると、第１Ａレンズ群Ｇ１Ａで発生する色収差が大きくなり、軸上色収差、倍率色収差の補正が困難となる。
【００４６】
尚、条件式（９）について、望ましくはその下限値を６５に限定することで、前述の効果をより確実にすることができる。
【００４７】
条件式（１０）の下限値を超えて第１Ａレンズ群Ｇ１Ａが有する正レンズの正の異常部分分散性が小さくなると、第１Ａレンズ群Ｇ１Ａで発生する２次スペクトルを含めた色収差が大きくなり、色収差、特に２次スペクトルの補正が困難になる。
【００４８】
尚、条件式（１０）について、望ましくはその下限値を０．００５に限定することで、前述の効果をより確実にすることができる。
【００４９】
さらに、本発明の結像光学系では、前記第３レンズ群Ｇ３は、物体側から順に正の屈折力を有する第３Ａレンズ群Ｇ３Ａと、負の屈折力を有する第３Ｂレンズ群Ｇ３Ｂと、正の屈折力を有する第３Ｃレンズ群Ｇ３Ｃからなり、前記第３Ｂレンズ群Ｇ３Ｂを光軸に対して垂直方向成分を含んで移動させることにより防振を行うことが望ましい。正の屈折力の第３Ａレンズ群Ｇ３Ａにより光線を収斂することで、防振時に移動する第３Ｂレンズ群Ｇ３Ｂのレンズ径を小さくすることを可能にしている。さらに正の屈折力の第３Ｃレンズ群Ｇ３Ｃを配置することにより、光学系全系の焦点距離を保ちつつ第３Ｂレンズ群Ｇ３Ｂの負の屈折力を増大させることが可能となり、第３Ｂレンズ群Ｇ３Ｂの防振係数を大きくして、少ない移動量で防振を行うことができる。
【００５０】
さらに、本発明の結像光学系では、前記第３Ａレンズ群Ｇ３Ａは、少なくとも１枚の正レンズと、少なくとも１枚の負レンズを有し、以下に示す条件式を満足することが望ましい。低分散かつ正の異常部分分散性をもつ材料の正レンズと、負レンズを有することで、第３Ａレンズ群Ｇ３Ａ内で発生する２次スペクトルを含めた色収差を抑制している。
（１１）νｄｐ３＞６０
（１２）θｇＦｐ３−０．６４８３＋０．００１８×νｄｐ３＞０．００５
νｄｐ３：前記第３レンズ群Ｇ３が有する少なくとも１枚の正レンズの、ｄ線に関するアッベ数
θｇＦｐ３：前記第３レンズ群Ｇ３が有する少なくとも１枚の正レンズの、ｇ線とＦ線に関する部分分散比
【００５１】
条件式（１１）、（１２）は、第３Ａレンズ群Ｇ３Ａに含まれる正レンズの材料について、２次スペクトルを含めて軸上色収差、倍率色収差を良好に補正するために好ましい光学特性を規定するものである。第３Ａレンズ群Ｇ３Ａが低分散かつ正の異常部分分散性が大きい材料の正レンズを有することで、第１レンズ群Ｇ１および第２レンズ群Ｇ２で補正不足となった色収差を補正している。
【００５２】
条件式（１１）の下限値を超えて第３Ａレンズ群Ｇ３Ａうち、少なくとも１枚の正レンズのアッベ数が小さくなると、第３Ａレンズ群Ｇ３Ａで発生する色収差が大きくなり、軸上色収差の補正が困難となる。
【００５３】
尚、条件式（１１）について、望ましくはその下限値を６５に限定することで、前述の効果をより確実にすることができる。
【００５４】
条件式（１２）の下限値を超えて第３Ａレンズ群Ｇ３Ａうち、少なくとも１枚の正レンズ正の異常部分分散性が小さくなると、第３Ａレンズ群Ｇ３Ａで発生する２次スペクトルを含めた色収差が大きくなり、軸上色収差、特に２次スペクトルの補正が困難になる。
【００５５】
尚、条件式（１２）について、望ましくはその下限値を０．００８に限定することで、前述の効果をより確実にすることができる。
【００５６】
本発明の結像光学系では、以下の構成を伴うことがより効果的である。第１Ｂレンズ群Ｇ１Ｂは、正レンズと負レンズとが貼り合わされた接合レンズを有することが望ましい。これにより、１Ｂ群レンズ内での製造誤差敏感度を低減することが可能となる。また、第３レンズ群Ｇ３内の防振レンズ群は、１枚の正レンズと２枚の負レンズから構成されることが望ましい。この構成により、防振群の重量増加を抑えながら、高い防振係数を実現し、防振時における、色収差、コマ収差、非点収差等の諸収差の変動を十分に抑制することが可能となる。
【００５７】
次に、本発明の結像光学系に係る実施例のレンズ構成について説明する。なお、以下の説明ではレンズ構成を物体側から像側の順番で記載する。
【実施例１】
【００５８】
図１は、本発明の実施例１の結像光学系のレンズ構成図である。物体側から像側へ順に、正の屈折力の第１レンズ群Ｇ１と、負の屈折力の第２レンズ群Ｇ２と、正の屈折力の第３レンズ群Ｇ３から構成される。
【００５９】
第１レンズ群Ｇ１は、正の屈折力の第１Ａレンズ群Ｇ１Ａと負の屈折力の第１Ｂレンズ群Ｇ１Ｂから構成される。第１Ａレンズ群Ｇ１Ａは、両凸形状の正レンズＬ１と、物体側に凸面を向けた正メニスカスレンズＬ２から構成される。第１Ｂレンズ群Ｇ１Ｂは、両凸形状の正レンズＬ３と両凹形状の負レンズＬ４との２枚のレンズからなる接合レンズと、物体側に凸面を向けた正メニスカスレンズＬ５と像面側に凹面を向けた負メニスカスレンズＬ６の２枚のレンズからなる接合レンズから構成される。
【００６０】
第２レンズ群Ｇ２は、両凸形状の正レンズＬ７と両凹形状の負レンズＬ８との２枚のレンズからなる接合レンズと、両凹形状の負レンズＬ９から構成され、第２レンズ群Ｇ２を光軸に沿って像面側へ移動させることにより無限遠物体から近距離物体へのフォーカシングを行っている。開口絞りＳは第２レンズ群Ｇ２と第３レンズ群Ｇ３の間に配置されている。
【００６１】
第３レンズ群Ｇ３は、正の屈折力の第３Ａレンズ群Ｇ３Ａ、負の屈折力の第３Ｂレンズ群Ｇ３Ｂ、正の屈折力の第３Ｃレンズ群Ｇ３Ｃの３つの群から構成され、第３Ｂレンズ群Ｇ３Ｂを光軸に対して垂直方向成分を含んで移動させることにより防振を行っている。第３Ａレンズ群Ｇ３Ａは、像面側に凹面を向けた負メニスカスレンズＬ１０と両凸形状の正レンズＬ１１との２枚のレンズからなる接合レンズと、物体側に凸面を向けた正メニスカスレンズＬ１２から構成される。第３Ｂレンズ群Ｇ３Ｂは、像面側に凸面を向けた正メニスカスレンズＬ１３と両凹形状の負レンズＬ１４との２枚のレンズからなる接合レンズと、両凹形状の負レンズＬ１５から構成される。第３Ｃレンズ群Ｇ３Ｃは、両凸形状の正レンズＬ１６と、物体側に凸面を向けた正メニスカスレンズＬ１７と、両凹形状の負レンズＬ１８と両凸形状の正レンズＬ１９との２枚のレンズからなる接合レンズから構成される。
【実施例２】
【００６２】
図７は、本発明の実施例２の結像光学系のレンズ構成図である。物体側から像側へ順に、正の屈折力の第１レンズ群Ｇ１と、負の屈折力の第２レンズ群Ｇ２と、正の屈折力の第３レンズ群Ｇ３から構成される。
【００６３】
第１レンズ群Ｇ１は、正の屈折力の第１Ａレンズ群Ｇ１Ａと負の屈折力の第１Ｂレンズ群Ｇ１Ｂから構成される。第１Ａレンズ群Ｇ１Ａは、両凸形状の正レンズＬ１と、物体側に凸面を向けた正メニスカスレンズＬ２から構成される。第１Ｂレンズ群Ｇ１Ｂは、両凸形状の正レンズＬ３と両凹形状の負レンズＬ４との２枚のレンズからなる接合レンズと、物体側に凸面を向けた正メニスカスレンズＬ５と像面側に凹面を向けた負メニスカスレンズＬ６の２枚のレンズからなる接合レンズから構成される。
【００６４】
第２レンズ群Ｇ２は、両凸形状の正レンズＬ７と両凹形状の負レンズＬ８との２枚のレンズからなる接合レンズと、両凹形状の負レンズＬ９から構成され、第２レンズ群Ｇ２を光軸に沿って像面側へ移動させることにより無限遠物体から近距離物体へのフォーカシングを行っている。開口絞りＳは第２レンズ群Ｇ２と第３レンズ群Ｇ３の間に配置されている。
【００６５】
第３レンズ群Ｇ３は、正の屈折力の第３Ａレンズ群Ｇ３Ａ、負の屈折力の第３Ｂレンズ群Ｇ３Ｂ、正の屈折力の第３Ｃレンズ群Ｇ３Ｃの３つの群から構成され、第３Ｂレンズ群Ｇ３Ｂを光軸に対して垂直方向成分を含んで移動させることにより防振を行っている。第３Ａレンズ群Ｇ３Ａは、像面側に凹面を向けた負メニスカスレンズＬ１０と両凸形状の正レンズＬ１１との２枚のレンズからなる接合レンズと、物体側に凸面を向けた正メニスカスレンズＬ１２から構成される。第３Ｂレンズ群Ｇ３Ｂは、像面側に凸面を向けた正メニスカスレンズＬ１３と両凹形状の負レンズＬ１４との２枚のレンズからなる接合レンズと、両凹形状の負レンズＬ１５から構成される。第３Ｃレンズ群Ｇ３Ｃは、両凸形状の正レンズＬ１６と、物体側に凸面を向けた正メニスカスレンズＬ１７と、両凹形状の負レンズＬ１８と両凸形状の正レンズＬ１９との２枚のレンズからなる接合レンズから構成される。
【実施例３】
【００６６】
図１３は、本発明の実施例３の結像光学系のレンズ構成図である。物体側から像側へ順に、正の屈折力の第１レンズ群Ｇ１と、負の屈折力の第２レンズ群Ｇ２と、正の屈折力の第３レンズ群Ｇ３から構成される。
【００６７】
第１レンズ群Ｇ１は、正の屈折力の第１Ａレンズ群Ｇ１Ａと負の屈折力の第１Ｂレンズ群Ｇ１Ｂから構成される。第１Ａレンズ群Ｇ１Ａは、両凸形状の正レンズＬ１と、物体側に凸面を向けた正メニスカスレンズＬ２から構成される。第１Ｂレンズ群Ｇ１Ｂは、両凸形状の正レンズＬ３と両凹形状の負レンズＬ４との２枚のレンズからなる接合レンズと、物体側に凸面を向けた正メニスカスレンズＬ５と像面側に凹面を向けた負メニスカスレンズＬ６の２枚のレンズからなる接合レンズから構成される。
【００６８】
第２レンズ群Ｇ２は、両凸形状の正レンズＬ７と両凹形状の負レンズＬ８との２枚のレンズからなる接合レンズと、両凹形状の負レンズＬ９から構成され、第２レンズ群Ｇ２を光軸に沿って像面側へ移動させることにより無限遠物体から近距離物体へのフォーカシングを行っている。開口絞りＳは第２レンズ群Ｇ２と第３レンズ群Ｇ３の間に配置されている。
【００６９】
第３レンズ群Ｇ３は、正の屈折力の第３Ａレンズ群Ｇ３Ａ、負の屈折力の第３Ｂレンズ群Ｇ３Ｂ、正の屈折力の第３Ｃレンズ群Ｇ３Ｃの３つの群から構成され、第３Ｂレンズ群Ｇ３Ｂを光軸に対して垂直方向成分を含んで移動させることにより防振を行っている。第３Ａレンズ群Ｇ３Ａは、両凹形状の負レンズＬ１０と両凸形状の正レンズＬ１１との２枚のレンズからなる接合レンズと、両凸形状の正レンズＬ１２から構成される。第３Ｂレンズ群Ｇ３Ｂは、両凸形状の正レンズＬ１３と両凹形状の負レンズＬ１４との２枚のレンズからなる接合レンズと、両凹形状の負レンズＬ１５から構成される。第３Ｃレンズ群Ｇ３Ｃは、両凸形状の正レンズＬ１６と、物体側に凸面を向けた正メニスカスレンズＬ１７と、両凹形状の負レンズＬ１８と両凸形状の正レンズＬ１９との２枚のレンズからなる接合レンズから構成される。
【実施例４】
【００７０】
図１９は、本発明の実施例４の結像光学系のレンズ構成図である。物体側から像側へ順に、正の屈折力の第１レンズ群Ｇ１と、負の屈折力の第２レンズ群Ｇ２と、正の屈折力の第３レンズ群Ｇ３から構成される。
【００７１】
第１レンズ群Ｇ１は、正の屈折力の第１Ａレンズ群Ｇ１Ａと負の屈折力の第１Ｂレンズ群Ｇ１Ｂから構成される。第１Ａレンズ群Ｇ１Ａは、両凸形状の正レンズＬ１と、物体側に凸面を向けた正メニスカスレンズＬ２から構成される。第１Ｂレンズ群Ｇ１Ｂは、両凸形状の正レンズＬ３と両凹形状の負レンズＬ４との２枚のレンズからなる接合レンズと、物体側に凸面を向けた正メニスカスレンズＬ５と像面側に凹面を向けた負メニスカスレンズＬ６の２枚のレンズからなる接合レンズから構成される。
【００７２】
第２レンズ群Ｇ２は、両凸形状の正レンズＬ７と両凹形状の負レンズＬ８との２枚のレンズからなる接合レンズと、両凹形状の負レンズＬ９から構成され、第２レンズ群Ｇ２を光軸に沿って像面側へ移動させることにより無限遠物体から近距離物体へのフォーカシングを行っている。開口絞りＳは第２レンズ群Ｇ２と第３レンズ群Ｇ３の間に配置されている。
【００７３】
第３レンズ群Ｇ３は、正の屈折力の第３Ａレンズ群Ｇ３Ａ、負の屈折力の第３Ｂレンズ群Ｇ３Ｂ、正の屈折力の第３Ｃレンズ群Ｇ３Ｃの３つの群から構成され、第３Ｂレンズ群Ｇ３Ｂを光軸に対して垂直方向成分を含んで移動させることにより防振を行っている。第３Ａレンズ群Ｇ３Ａは、両凹形状の負レンズＬ１０と両凸形状の正レンズＬ１１との２枚のレンズからなる接合レンズと、両凸形状の正レンズＬ１２から構成される。第３Ｂレンズ群Ｇ３Ｂは、両凸形状の正レンズＬ１３と両凹形状の負レンズＬ１４との２枚のレンズからなる接合レンズと、両凹形状の負レンズＬ１５から構成される。第３Ｃレンズ群Ｇ３Ｃは、両凸形状の正レンズＬ１６と、物体側に凸面を向けた正メニスカスレンズＬ１７と、両凹形状の負レンズＬ１８と両凸形状の正レンズＬ１９との２枚のレンズからなる接合レンズから構成される。
【実施例５】
【００７４】
図２５は、本発明の実施例５の結像光学系のレンズ構成図である。物体側から像側へ順に、正の屈折力の第１レンズ群Ｇ１と、負の屈折力の第２レンズ群Ｇ２と、正の屈折力の第３レンズ群Ｇ３から構成される。
【００７５】
第１レンズ群Ｇ１は、正の屈折力の第１Ａレンズ群Ｇ１Ａと負の屈折力の第１Ｂレンズ群Ｇ１Ｂから構成される。第１Ａレンズ群Ｇ１Ａは、両凸形状の正レンズＬ１と、物体側に凸面を向けた正メニスカスレンズＬ２から構成される。第１Ｂレンズ群Ｇ１Ｂは、両凸形状の正レンズＬ３と両凹形状の負レンズＬ４との２枚のレンズからなる接合レンズと、物体側に凸面を向けた正メニスカスレンズＬ５と像面側に凹面を向けた負メニスカスレンズＬ６の２枚のレンズからなる接合レンズから構成される。
【００７６】
第２レンズ群Ｇ２は、両凸形状の正レンズＬ７と両凹形状の負レンズＬ８との２枚のレンズからなる接合レンズと、像面側に凹面を向けた負メニスカスレンズＬ９から構成され、第２レンズ群Ｇ２を光軸に沿って像面側へ移動させることにより無限遠物体から近距離物体へのフォーカシングを行っている。開口絞りＳは第２レンズ群Ｇ２と第３レンズ群Ｇ３の間に配置されている。
【００７７】
第３レンズ群Ｇ３は、正の屈折力の第３Ａレンズ群Ｇ３Ａ、負の屈折力の第３Ｂレンズ群Ｇ３Ｂ、正の屈折力の第３Ｃレンズ群Ｇ３Ｃの３つの群から構成され、第３Ｂレンズ群Ｇ３Ｂを光軸に対して垂直方向成分を含んで移動させることにより防振を行っている。第３Ａレンズ群Ｇ３Ａは、像面側に凹面を向けた負メニスカスレンズＬ１０と両凸形状の正レンズＬ１１との２枚のレンズからなる接合レンズと、物体側に凸面を向けた正メニスカスレンズＬ１２から構成される。第３Ｂレンズ群Ｇ３Ｂは、像面側に凸面を向けた正メニスカスレンズＬ１３と両凹形状の負レンズＬ１４との２枚のレンズからなる接合レンズと、両凹形状の負レンズＬ１５から構成される。第３Ｃレンズ群Ｇ３Ｃは、両凸形状の正レンズＬ１６と、物体側に凸面を向けた正メニスカスレンズＬ１７と、両凹形状の負レンズＬ１８と両凸形状の正レンズＬ１９との２枚のレンズからなる接合レンズから構成される。
【００７８】
以下に、前述した本発明の結像光学系の各実施例の具体的な数値データを示す。
【００７９】
［面データ］において、面番号は物体側から数えたレンズ面又は開口絞りの番号、ｒは各面の曲率半径、ｄは各面の間隔、ｎｄはｄ線（波長５８７．５６ｎｍ）に対する屈折率、ｖｄはｄ線に対するアッベ数、θｇＦはｇ線とＦ線に関する部分分散比を示している。
【００８０】
ＢＦはバックフォーカスを表している。
【００８１】
面番号に付した（絞り）は、その位置に開口絞りが位置していることを示している。平面又は開口絞りに対する曲率半径には∞（無限大）を記入している。
【００８２】
［各種データ］には、撮影距離がＩＮＦと所定の撮影距離のときの焦点距離等の値を示している。
【００８３】
［可変間隔データ］には、撮影距離がＩＮＦと所定の撮影距離のときの可変面間隔及びBF（バックフォーカス）の値を示している。
【００８４】
［レンズ群データ］には、各レンズ群を構成する最も物体側の面番号及び群全体の合成焦点距離を示している。
【００８５】
なお、以下の全ての諸元の値において、記載している焦点距離ｆ、曲率半径ｒ、レンズ面間隔ｄ、その他の長さの単位は特記のない限りミリメートル（ｍｍ）を使用するが、光学系では比例拡大と比例縮小とにおいても同等の光学性能が得られるので、これに限られるものではない。
【００８６】
また、これらの各実施例における条件式の対応値の一覧を示す。
【００８７】
また、各実施例に対応する収差図において、ｄ、ｇ、Ｃはそれぞれｄ線、ｇ線、Ｃ線を表しており、△Ｓ、△Ｍはそれぞれサジタル像面、メリジオナル像面を表している。
【００８８】
数値実施例1
単位：mm
[面データ]
面番号           r           d           nd           vd         θgF
物面               ∞        (d0) 
1          198.8338     10.2285     1.49700       81.61      0.5386
2        -5696.2958      1.5000
3          121.6258     12.9769     1.43700       95.10      0.5332
4          999.9737     13.0000
5           91.4762     15.2219     1.49700       81.61      0.5386
6         -974.3321      3.0000     1.65412       39.68      0.5737
7          168.5344      0.2000
8           54.6376     10.0692     1.49700       81.61      0.5386
9           86.7909      2.9457     1.61340       44.27      0.5633
10           43.4337       (d10) 
11          178.1407      4.4503     1.80809       22.76      0.6285
12         -422.1221      1.5000     1.80420       46.50      0.5574
13          117.5341      3.4558
14         -940.7056      1.5000     1.58144       40.89      0.5767
15           79.9174       (d15) 
16(絞り)             ∞      3.0000
17          359.7517      1.4000     1.78880       28.43      0.6009
18           45.9261      9.3922     1.59282       68.63      0.5441
19         -215.0839      0.2000
20           70.4113      5.7561     1.87070       40.74      0.5683
21          468.6274      3.5740
22        -1446.5133      3.9357     1.92286       20.88      0.6389
23          -81.7582      1.2000     1.65100       56.24      0.5420
24           53.4612      3.9948
25         -228.8793      1.2000     1.71300       53.94      0.5439
26           84.4810      3.0000
27           85.9590      5.1838     1.80420       46.50      0.5574
28         -427.4180      0.2000
29          116.0492      4.0389     1.87070       40.73      0.5683
30          589.2252      1.9888
31         -102.1187      1.4002     1.84666       23.78      0.6192
32          109.4921      9.8411     1.87070       40.73      0.5683
33          -89.9292     54.1111
像面               ∞
[各種データ]
INF          1900mm
焦点距離            195.60         200.34
Fナンバー             1.84           1.95
全画角2ω            12.56           9.36
像高Y              21.63          21.63
レンズ全長           239.72         239.72
[可変間隔データ]
INF          1900mm
d0                           1660.3283
d10             15.3147        33.9574
d15             30.9422        12.2995
BF              54.1111        54.1111
[レンズ群データ]
群            始面            焦点距離
G1              1               159.02
G2             11               -99.51
G3             17               103.53
G1A             1               175.46
G1B             5             -1589.39
G3A            17                87.64
G3B            22               -46.43
G3C            27                55.66
【００８９】
数値実施例2
単位：mm
[面データ]
面番号           r           d           nd           vd         θgF
物面               ∞        (d0) 
1          469.2059      7.5732     1.48749       70.45      0.5303
2         -511.2594      1.6447
3          109.0877     12.8016     1.43700       95.10      0.5332
4         1000.0000     10.0000
5           92.1493     14.0874     1.49700       81.61      0.5386
6         -999.9209      3.0000     1.67300       38.26      0.5757
7          179.3970      0.2000
8           55.6155     10.7194     1.55032       75.50      0.5405
9           86.2413      3.5563     1.61340       44.27      0.5633
10           43.3843       (d10) 
11          221.7795      4.3992     1.80809       22.76      0.6285
12         -249.4711      1.5000     1.80420       46.50      0.5574
13          142.4955      2.8198
14         -814.0149      1.6985     1.58144       40.89      0.5767
15           79.1097       (d15) 
16(絞り)             ∞      3.0000
17         1244.1779      1.4000     1.78880       28.43      0.6009
18           48.1352      9.4953     1.59282       68.63      0.5441
19         -152.6074      0.2000
20           69.0197      6.0896     1.87070       40.73      0.5683
21          593.6721      3.5666
22         -868.9441      3.9550     1.92286       20.88      0.6389
23          -78.3371      1.2000     1.65100       56.24      0.5420
24           53.4466      3.9979
25         -237.1154      1.2000     1.71300       53.94      0.5439
26           88.5104      3.0000
27           90.4664      5.1418     1.87070       40.73      0.5683
28         -389.5672      0.2000
29          119.5488      3.9319     1.87070       40.73      0.5683
30          448.5444      1.9753
31         -109.6020      1.4000     1.84666       23.78      0.6192
32           73.4625     10.3002     1.87070       40.73      0.5683
33          -97.3631     54.3633
像面               ∞
[各種データ]
INF          1800mm
焦点距離            178.98         185.18
Fナンバー             1.84           1.93
全画角2ω            13.71          10.42
像高Y              21.63          21.63
レンズ全長           232.10         232.10
[可変間隔データ]
INF          1800mm
d0                           1567.9452
d10             14.8871        33.4378
d15             28.8005        10.2499
BF              54.3633        54.3633
[レンズ群データ]
群            始面            焦点距離
G1              1               154.81
G2             11              -100.51
G3             17                98.66
G1A             1               180.21
G1B             5             -4597.06
G3A            17                83.60
G3B            22               -46.86
G3C            27                55.96
【００９０】
数値実施例3
単位：mm
[面データ]
面番号           r           d           nd           vd         θgF
物面               ∞        (d0) 
1          203.6430     11.2718     1.49700       81.61      0.5386
2        -2567.8704      1.5554
3          124.6271     13.4521     1.43700       95.10      0.5332
4         1031.5210     12.1216
5           92.9832     15.9651     1.49700       81.61      0.5386
6         -999.6839      3.6514     1.65412       39.68      0.5737
7          180.9344      0.2015
8           56.1292      9.8254     1.49700       81.61      0.5386
9           88.3581      2.8890     1.61340       44.27      0.5633
10           44.1643       (d10) 
11          185.5195      4.5821     1.80809       22.76      0.6285
12         -399.3392      1.5004     1.80610       40.73      0.5670
13          117.2797      3.7594
14         -654.2740      1.5896     1.57099       50.80      0.5588
15           81.8004       (d15) 
16(絞り)             ∞      3.1930
17        -1176.7782      1.0000     1.76182       26.61      0.6123
18           57.3721      7.8707     1.59282       68.63      0.5441
19         -218.5291      0.2000
20           78.0729      7.4173     1.77250       49.62      0.5505
21         -867.0466      3.0000
22         1605.8432      3.7482     1.92286       20.88      0.6389
23         -101.2287      1.8907     1.67790       55.52      0.5446
24           53.8440      3.4912
25         -501.2697      1.2000     1.72916       54.67      0.5451
26           89.0739      3.0712
27           94.9951      4.8774     1.72000       43.61      0.5683
28         -342.9986      0.2000
29           69.4953      6.0682     1.88100       40.14      0.5704
30          131.7288      2.5405
31         -241.2677      4.0000     1.84666       23.78      0.6192
32           68.6149      8.9964     1.80610       33.27      0.5881
33         -164.2712     55.2054
像面               ∞
[各種データ]
INF          1900mm
焦点距離            225.46         222.97
Fナンバー             2.02           2.16
全画角2ω            10.91           7.56
像高Y              21.63          21.63
レンズ全長           257.29         257.29
[可変間隔データ]
INF          1900mm
d0                           1642.7644
d10             15.7570        34.3463
d15             41.1936        22.6044
BF              55.2054        55.2054
[レンズ群データ]
群            始面            焦点距離
G1              1               157.82
G2             11               -97.62
G3             17               123.57
G1A             1               176.43
G1B             5             -1916.02
G3A            17                98.85
G3B            22               -51.22
G3C            27                61.61
【００９１】
数値実施例4
単位：mm
[面データ]
面番号           r           d           nd           vd         θgF
物面               ∞        (d0) 
1          250.9698     11.5572     1.49700       81.61      0.5386
2        -1377.9485      1.5000
3          125.0990     16.0784     1.43700       95.10      0.5332
4         1589.4410     13.0000
5           94.3366     17.9266     1.49700       81.61      0.5386
6         -898.5145      3.0083     1.67300       38.26      0.5757
7          188.1074      0.2000
8           59.3370      9.7736     1.55032       75.50      0.5405
9           91.9383      2.5498     1.61340       44.27      0.5633
10           45.8491       (d10) 
11          216.0455      5.2701     1.80809       22.76      0.6285
12         -248.8819      1.5000     1.80450       39.63      0.5710
13          140.9246      3.5003
14         -819.2435      1.5000     1.56732       42.84      0.5747
15           79.3307       (d15) 
16(絞り)             ∞      3.0724
17        -3238.1220      1.4000     1.78880       28.43      0.6009
18           65.3208      7.1414     1.55032       75.50      0.5405
19         -311.2995      0.2000
20           82.3843      6.5283     1.61272       58.58      0.5449
21         -225.2995      3.0000
22          450.8539      3.6854     1.92286       20.88      0.6389
23         -124.1266      1.2000     1.65100       56.24      0.5420
24           48.6625      4.1945
25         -282.8121      1.2000     1.71300       53.94      0.5439
26           98.7072      3.7976
27           83.9722      5.2439     1.70154       41.15      0.5766
28         -527.7711      0.2000
29           76.1736      6.2942     1.85026       32.27      0.5929
30          342.6958      1.0533
31         -497.9922      1.4000     1.84666       23.78      0.6192
32           46.4044     14.8994     1.80610       33.27      0.5881
33        -1088.6495     54.7628
像面               ∞
[各種データ]
INF          2000mm
焦点距離            244.97         233.04
Fナンバー             2.02           2.13
全画角2ω            10.04           7.03
像高Y              21.63          21.63
レンズ全長           264.35         264.35
[可変間隔データ]
INF          2000mm
d0                           1735.7019
d10             17.0227        35.5338
d15             40.6879        22.1769
BF              54.7628        54.7628
[レンズ群データ]
群            始面            焦点距離
G1              1               159.20
G2             11              -103.34
G3             17               145.97
G1A             1               181.46
G1B             5             -2913.78
G3A            17               122.10
G3B            22               -52.19
G3C            27                60.43
【００９２】
数値実施例5
単位：mm
[面データ]
面番号           r           d           nd           vd         θgF
物面               ∞        (d0) 
1          221.4487     10.0769     1.49700       81.61      0.5386
2        -1627.5887      1.5000
3          121.4760     12.9927     1.43700       95.10      0.5332
4          999.8177     13.0000
5           93.8691     15.1230     1.49700       81.61      0.5386
6         -845.5083      3.0001     1.67300       38.26      0.5757
7          203.2070      0.2000
8           52.2066     10.0369     1.49700       81.61      0.5386
9           75.2309      3.0606     1.61340       44.27      0.5633
10           41.9403       (d10) 
11          677.9769      3.5026     1.80809       22.76      0.6285
12         -233.5131      1.5000     1.80420       46.50      0.5574
13          142.3970      2.0985
14          709.1978      1.5000     1.56384       60.83      0.5405
15           78.5212       (d15) 
16(絞り)             ∞      3.0000
17         1594.0739      1.4000     1.78880       28.43      0.6009
18           49.5778      9.6560     1.55032       75.50      0.5405
19         -130.9372      0.2000
20           72.3887      7.5920     1.83481       42.72      0.5650
21         1999.9854      3.3734
22         -686.8586      4.0905     1.92286       20.88      0.6389
23          -77.4725      1.2000     1.65100       56.24      0.5420
24           51.7373      3.9040
25         -312.6403      1.2000     1.71300       53.94      0.5439
26           86.7618      3.0000
27           88.5830      5.0682     1.80420       46.50      0.5574
28         -514.0981      0.2000
29           81.7968      5.2679     1.87070       40.73      0.5683
30          177.4699      2.6948
31          -94.0066      1.4000     1.84666       23.78      0.6192
32          136.6318      6.2970     1.87070       40.73      0.5683
33          -79.4957     54.0000
像面               ∞
[各種データ]
INF          1900mm
焦点距離            196.00         199.94
Fナンバー             1.84           1.94
全画角2ω            12.53           9.38
像高Y              21.63          21.63
レンズ全長           238.40         238.40
[可変間隔データ]
INF          1900mm
d0                           1661.6508
d10             17.0022        33.0694
d15             30.2615        14.1944
BF              54.0000        54.0000
[レンズ群データ]
群            始面            焦点距離
G1              1               148.96
G2             11               -92.00
G3             17               104.11
G1A             1               176.38
G1B             5            -22564.40
G3A            17                87.49
G3B            22               -46.65
G3C            27                55.81
【００９３】
[条件式対応値]
条件式／実施例             1        2        3        4        5
(1)              f1/f                0.813    0.865    0.700    0.650    0.760
(2)              f2/f               -0.509   -0.562   -0.433   -0.422   -0.469
(3)              β2                  3.67     3.93     3.63     3.02     3.81
(4)             νdp1f               81.61    70.45    81.61    81.61    81.61
(5) θgFp1f-0.6483+0.0018×νdp1f   0.0372   0.0089   0.0372   0.0372   0.0372
(6)  θgFp2-0.6483+0.0018×νdp2    0.0212   0.0212   0.0212   0.0212   0.0212
(7)  θgFn2-0.6483+0.0018×νdn2   -0.0072  -0.0072  -0.0080  -0.0060  -0.0072
(8)             L1A1B/L              0.054    0.043    0.047    0.049    0.055
(9)             νdp1A               81.61    70.45    81.61    81.61    81.61
(10)θgFp1A-0.6483+0.0018×νdp1A   0.0372   0.0089   0.0372   0.0372   0.0372
(11)            νdp3                68.63    68.63    68.63    75.50    75.50
(12) θgFp3-0.6483+0.0018×νdp3    0.0193   0.0193   0.0193   0.0281   0.0281
【符号の説明】
【００９４】
Ｇ１    第１レンズ群
Ｇ２    第２レンズ群
Ｇ３    第３レンズ群
Ｇ１Ａ  第１Ａレンズ群
Ｇ１Ｂ  第１Ｂレンズ群
Ｇ３Ａ  第３Ａレンズ群
Ｇ３Ｂ  第３Ｂレンズ群
Ｇ３Ｃ  第３Ｃレンズ群
Ｓ      開口絞り
Ｉ      像面
【図１】
2020160100.tif 000003
【図２】
2020160100.tif 000004
【図３】
2020160100.tif 000005
【図４】
2020160100.tif 000006
【図５】
2020160100.tif 000007
【図６】
2020160100.tif 000008
【図７】
2020160100.tif 000009
【図８】
2020160100.tif 000010
【図９】
2020160100.tif 000011
【図１０】
2020160100.tif 000012
【図１１】
2020160100.tif 000013
【図１２】
2020160100.tif 000014
【図１３】
2020160100.tif 000015
【図１４】
2020160100.tif 000016
【図１５】
2020160100.tif 000017
【図１６】
2020160100.tif 000018
【図１７】
2020160100.tif 000019
【図１８】
2020160100.tif 000020
【図１９】
2020160100.tif 000021
【図２０】
2020160100.tif 000022
【図２１】
2020160100.tif 000023
【図２２】
2020160100.tif 000024
【図２３】
2020160100.tif 000025
【図２４】
2020160100.tif 000026
【図２５】
2020160100.tif 000027
【図２６】
2020160100.tif 000028
【図２７】
2020160100.tif 000029
【図２８】
2020160100.tif 000030
【図２９】
2020160100.tif 000031
【図３０】
2020160100.tif 000032